(57)【要約】本発明は、生物防除剤を用いた害虫防除の分野に関するものである。本発明は、昆虫の捕食寄生生物を飼養するための新規な宿主および方法を提供する。より詳しくは、本発明は、内部捕食寄生生物をin vitroで飼養するための、重合体ビーズ（アルギナート、カラゲナン、キトサン）またはカプセルの使用に関するものである。【特許請求の範囲】
【請求項１】
内部捕食寄生生物の宿主としてのバイオポリマービーズまたはカプセルの使用。
【請求項２】
内部捕食寄生生物をin vitroで飼養するための請求項１記載の使用。
【請求項３】
バイオポリマービーズまたはカプセルを、産卵および内部捕食寄生生物の卵から成虫の羽化までの連続飼養に用いる、請求項１または２記載の使用。
【請求項４】
バイオポリマービーズまたはカプセルが親水性および多孔性である、請求項１〜３のいずれか一項に記載の使用。
【請求項５】
バイオポリマービーズまたはカプセルを、アルギナート、カラゲナンもしくはキトサンまたはそれらの混合物で構成する、請求項１〜４のいずれか一項に記載の使用。
【請求項６】
バイオポリマービーズまたはカプセルを、β−Ｄ−マンヌロン酸とα−Ｌ−グルクロン酸との二価陽イオンによって架橋結合された共重合体であるアルギナートで本質的に構成する、請求項５記載の使用。
【請求項７】
バイオポリマービーズまたはカプセルを、キチンの誘導体（ポリ−β−（１−４）−２−アミノ−２−デオキシ−Ｄ−グルコピラノース）であるキトサンで本質的に構成する、請求項５記載の使用。
【請求項８】
ポリマービーズまたはカプセルが本質的に黄色である、請求項１〜７のいずれか一項に記載の使用。
【請求項９】
ポリマービーズまたはカプセルを、好ましくはStabiloboss（登録商標）で黄色に着色する、請求項８記載の使用。
【請求項１０】
ビーズまたはカプセルを、宿主のクチクラ表面抽出物および／または植物抽出物で被覆する、請求項１〜９のいずれか一項に記載の使用。
【請求項１１】
内部捕食寄生生物が、表５に列挙された膜翅類型の内部捕食寄生生物の群から選ばれる、請求項１〜１０のいずれか一項に記載の使用。
【請求項１２】
産卵のための請求項１〜１１のいずれか一項に定義されたバイオポリマービーズまたはカプセルの使用を含む、内部捕食寄生生物をin vitroで飼養する方法であって、該内部捕食寄生生物を、コムギおよび／もしくはその天然の宿主、ならびに／またはその天然の宿主の臭気を含む環境に置くことを特徴とする方法。
【請求項１３】
産卵のための請求項１〜１２のいずれか一項に定義されたバイオポリマービーズまたはカプセルの使用を含む、膜翅類型の内部捕食寄生生物をin vitroで飼養する方法であって、該内部捕食寄生生物を、コムギおよび／または穀類アリマキを含む環境に置くことを特徴とする方法。
【請求項１４】
内部捕食寄生生物をin vitroで連続的に飼養する方法であって、
−栄養液を含有する、請求項１〜１２のいずれか一項に定義されたバイオポリマービーズまたはカプセルを用いる工程と、
−内部捕食寄生生物の発生の際に、該ビーズまたはカプセルを酸素化および滅菌した栄養液に入れる工程と
を含む方法。
【請求項１５】
内部捕食寄生生物を埋伏マミーの段階までin vitroで飼養するための請求項１４記載の方法であって、内部捕食寄生生物が埋伏マミーであるときにビーズまたはカプセルを捕集する工程を含む方法。
【請求項１６】
内部捕食寄生生物を成虫羽化マミーの段階までin vitroで飼養するための請求項１５記載の方法であって、ビーズまたはカプセルから羽化した内部捕食寄生生物を捕集する工程を含む方法。
【請求項１７】
請求項１５記載の方法によって得られる内部捕食寄生生物の埋伏マミーを含む、バイオポリマービーズまたはカプセル。
【請求項１８】
請求項１６記載の方法によって得られる内部捕食寄生生物。
【請求項１９】
有害生物防除における、請求項１７記載のバイオポリマービーズまたはカプセル、または請求項１８記載の内部捕食寄生生物の使用。
【請求項２０】
大量の内部捕食寄生生物を量産する方法であって、請求項１５記載の方法によって得られるバイオポリマービーズまたはカプセルを、該ビーズまたはカプセルを適切な溶液に入れ、かつ／または粉砕機を用いて粉砕することによって微粉化する工程を含む方法。
【請求項２１】
内部捕食寄生生物を飼養するシステムであって、
−請求項１〜１２のいずれか一項に定義された少なくとも一のビーズまたはカプセルの使用と、
−少なくとも一の内部捕食寄生生物と、
−該ビーズまたはカプセル上の該内部捕食寄生生物の産卵に適した環境と
を含むシステム。
【請求項２２】
内部捕食寄生生物をin vitroで飼養するための親水性および多孔性のバイオポリマーカプセルを製造する方法であって、
−約０．７５〜１％（w/v）のキトサンを含有する重合体溶液を撹拌する工程と、
−約１．５〜３．５％（w/v）のトリポリリン酸五ナトリウム、および１０〜３０％のデキストランを含有するイオン性溶液を針から押し出し、それによって、重合体溶液中に落下する小滴を生成する工程と、
−１０〜１００μmの壁厚を有するカプセルを得るのに要する時間の後、重合体溶液からカプセルを取り出す工程と、
−カプセルを５〜２５分の間トリポリリン酸五ナトリウム中で処理する工程と
を含む方法。
【請求項２３】
針の直径が０．３５〜０．５５mmである、請求項２２記載の方法。
【請求項２４】
イオン性溶液を７ml／分（または約１００滴／分）の速度で送達する、請求項２２または２３記載の方法。
【発明の詳細な説明】
【技術分野】
【０００１】
本発明は、生物防除剤を用いて害虫を防除する分野に関するものである。本発明は、昆虫の内部捕食寄生生物（endoparasitoid）をin vitroで飼養するための重合体ビーズ（アルギナート、カラゲナン、キトサン）またはカプセルの使用に関するものである。
【背景技術】
【０００２】
世界中の有害生物、たとえばアリマキを防除する主な方法は、寄生された農作物を殺虫剤で処理する方法である。しかし、この方法には、環境汚染、ヒトおよび動物に対する有害性、重要な有害生物の耐性の増大、二次的有害生物の大発生の創出、益虫の強力な除去などのような短所がある。現在では、殺虫剤の使用を削減することへの関心が増大している。
【０００３】
化学的な殺虫剤に対する代替策は、害虫を防除するための捕食生物および捕食寄生生物のような、生物防除剤の使用である。それでも、これら数百万の益虫、いわゆる生物防除剤が、この方法をこの分野に用いるのに必要とされる。現時点では、量産のためには、これらの昆虫をその天然の宿主、たとえば穀類アリマキで飼養することが依然として必要である。この古典的な方法は、商業的農業での益虫の大規模な飼養を可能にするにはあまりにも高価過ぎる。解決は、これらの益虫を飼養するための人工培地の開発であるように思われる。実際、この方法は、量産の原価を削減するのを可能にすると思われる。
【０００４】
何年も以前から、研究者は、益虫（捕食生物および捕食寄生生物）を人工培地で飼養する方法を開発している。Simmonds（1966）は、ヒメハマキ類の蛹の３種類の外部寄生性ヒメバチを栄養ゼラチン斜面および生牛肉上で培養することを企図した。Yazgan（1972）およびHouse（1978）は、昆虫の栄養的必要条件の既存の知識を一般的に利用した培地を製造するために、飼料面での取組み方を用いて、寄生性膜翅類のイトプレクティス・コンキシトル（Itoplectis conquisitor (Say)）を、化学的に規定された合成飼料で飼養するのに成功した。House（1978）は、合成飼料をパラフィルムＲＴＭカプセルに封入し、人工宿主を創出したが、これは、イトプレクティス・コンキシトルの産卵および飼養に適切に役立った。HoffmanおよびIgnoffo（1974）ならびにHoffmanら（1975）は、蛹の内部捕食寄生生物、すなわちプテロマルス・プパルム（Pteromalus puparum (L.)）、および卵の寄生生物であるとおりコグランマ・プレティオスム（Trichogramma pretiosum (Riley)）をそれぞれ飼養するのに少なくとも部分的な成功を可能にする、培地を開発した。
【０００５】
Grenierら（1994）は、食虫生物向けの人工培地の開発に関する研究の半世紀にわたる総説を提示し、外部捕食寄生生物および捕食生物向け培地の生成に成功したことを報告しているが、内部捕食寄生生物に関する報告はなかった。奇妙なことに、これらの人工培地中、何らかの食虫生物の商業的生産にその用途を見出したものは皆無であり、これらの培地中、これらの捕食生物の増産システムに組み込まれたものは皆無であった。
【０００６】
温帯の農業でもっとも重要な害虫、アリマキを駆除するには、すなわち内部捕食寄生生物が、効果的な生物学的防除剤であることが多い。それでも、農作物における捕食寄生生物の数は、アリマキの集団を強力に削減するにはあまりにも少ないことが多い。そのため、これらの益虫の大量の放出が必須である。不幸にも、現時点では、これらの内部捕食寄生生物を飼養するための人工培地は、全く開発されなかった。
【０００７】
少なからぬ努力にも拘わらず、膜翅類幼虫型の内部捕食寄生生物は、人工培地で卵から成虫まで飼養するのに成功していない。しかし、２種類のコマユバチ類の幼虫である内部捕食寄生生物のミクロプリティス・クロケイペス（Microplitis croceipes (Cresson)）およびカルジオキレス・ニグリケプス（Cardiochiles nigriceps (Viereck)）、ならびに１種類の幼虫−蛹型の内部捕食寄生生物のジアカスミモルファ・ロンギカウダータ（Diachasmimorpha longicaudata (Ashmed)）では、部分的な成功が達成されている。Pennachioら（1992）は、ヘリオチス・ヴィレスケンス（Heliothis virescens）というコマユバチ類の幼虫型内部捕食寄生生物カルジオキレス・ニグリケプスを後胚条期の卵から第２齢まで、アミノ酸、塩類、ビタミンおよび炭水化物を含有する、ウシ血清アルブミン、酵素水解乳アルブミン、ウシ胎児血清、卵黄および牛乳で強化した培地で構成された人工培地で培養した。しかし、この幼虫は、in vivoよりはるかに遅く成長し、僅か１０％が第２齢まで脱皮したにすぎず、完全には発生しななかった。
【発明の開示】
【発明が解決しようとする課題】
【０００８】
内部捕食寄生生物の連続飼養のための方法および人工宿主を提供することが、本発明の目的である。
【０００９】
内部捕食寄生生物の産卵のための人工宿主を提供することも、本発明の目的である。
【００１０】
内部捕食寄生生物向けの人工宿主を生産する方法を提供することは、本発明のもう一つの目的である。
【００１１】
内部捕食寄生生物を内容する人工宿主の貯蔵のため、および生物学的防除計画に必要な場合に、それらを容易に適用するための手段を提供することも、本発明の目的である。
【課題を解決するための手段】
【００１２】
発明の要約
本発明までは、膜翅類型の内部捕食寄生生物の卵および幼虫は、予め寄生させた宿主から捕集し、滅菌し、in vitroで栄養液に浸漬した。それでも、これらの取扱いは、捕食寄生生物を傷つけかねず、非常に時間がかかり、現実の大量飼養ができない。ここに、本発明は、内部捕食寄生生物向けの新規な宿主を提供する。
【００１３】
産卵のための宿主または受容体としてのバイオポリマービーズまたはカプセルの使用は、たとえば、（産卵後の）ビーズまたはカプセルを、ビーズ内部の培地を除去せずに重合体基質からの拡散を可能にする、栄養液および酸素化液に入れることによって、必要な栄養素を連続的に供給することができ、すべての処置の回避を可能にする。栄養液を内容するビーズまたはカプセルは、低価で大量に製造し、内部捕食寄生生物の生産に用いる前にその特性を失うことなく、無菌状態で長期間貯蔵し得る。
【００１４】
産卵のための宿主または受容体としてのバイオポリマービーズまたはカプセルの使用は、これらの処置をすべて回避するのを可能にする。
【００１５】
アルギナートおよびキトサンのような重合体ビーズは、カプセル封入工程においてバイオテクノロジーの様々な分野で用いられる。これらのビーズは、酵素、ホルモン、薬物、吸着剤などのような、様々な材料を封入するのに用いられる。封入しようとする生存可能な生体材料は、組織、細胞器官、植物または動物細胞、細菌、藻類、真菌などであることもできる。材料は、本発明の小滴法によるカプセル封入に適するのに充分小さいサイズのものでなければならないが、直径が１μm未満から数mmまで幅広く変動することができる。
【００１６】
本発明においては、これらの重合体ビーズまたはカプセルを、昆虫の内部捕食寄生生物を飼養するために用いることが具体化される。これらのビーズまたはカプセルは、これらの内部捕食寄生生物向けの栄養液を包含し、クチクラ表面宿主（アリマキ）その他の宿主の化合物のような、産卵を増強する物質および／または植物抽出物で被覆することになる。捕食寄生生物は、その産卵管を用いてビーズまたはカプセル内で産卵し、栄養液によって飼養された幼虫は、ビーズ内で発生することになる。ビーズまたはカプセルに、滅菌および酸素化栄養液を連続流入してよい。実際には、発生中の捕食寄生生物の幼虫が、栄養液中に存在する栄養素および酸素を消費するので、新たな栄養素を連続的に与えることが必要となり得る。これは、ＢＳＡ（６９kDa）のような大きい分子の拡散できる細孔を有する基質である親水性バイオポリマーを用いるために可能となる。第３期幼虫の発生の終末で、ビーズまたはカプセルは、好ましくは自動的に栄養培地から取り出され、７５％から飽和状態の相対湿度の恒温室に入れられる。そうして、幼虫は繭を紡ぐことになり、数日後には、成虫がビーズまたはカプセルから羽化することになる。本発明が提供する方法は、手動操作の必要性をほとんど皆無にまで削減して、内部捕食寄生生物をその発生の際に損傷する危険性を回避し、工業的で自動化された大量飼養を可能にするため、in vitro飼養に必要な時間を大幅に削減し得る。農業分野、または内部捕食寄生生物による害虫の生物学的防除に要するあらゆる場所もしくは時間における大量放出に関しては、該システムは、たとえば、生理学的塩類溶液（６〜７．５にわたるpHで緩衝させたＮａＣｌ、０．０７％）のような、適切な溶液に入れた大量の埋伏マミーの吹付け、および農家が現在用いている古典的な粉砕機を用いた吹付けさえ可能にすると思われる。そのため、これは、内部捕食寄生生物の生産から必要に応じてその大量放出まで、大量生物学的防除計画に理想的なシステムを代表し得ると思われる。
【００１７】
内部捕食寄生生物を飼養するための栄養培地は、球形のバイオポリマービーズまたはカプセルに封入された、ショ糖、アミノ酸、ビタミン、無機塩類およびステロールを含む栄養液である。好ましくは、該液体の栄養液は、下記の必須化合物のうち少なくとも一つを含む：トレハロース（濃度は、１０mg以上〜１g／１００mlの範囲）、コレステロール（１０mg以上〜１００mg／１００mlの範囲）その他のステロール、ＦＢＳ（ウシ胎児血清、１体積％以上〜２０体積％）、およびビタミンＣ。培地のpHは、６〜７．５の範囲。用いられる重合体は、アルギナート、カラゲナンまたはキトサン（および２重合体の混合物）であってよい。その他の親水性バイオポリマーも用いることができる。
【００１８】
培地は、ビーズまたはカプセルの製造の際に封入されてもよく、かつ／または培地はビーズまたはカプセルをその製造後に栄養液に浸漬することによる拡散によって導入されてもよい。
【００１９】
同じ栄養液を、ビーズまたはカプセルに入れるのに用いてもよい。この培地は、酸素化および滅菌してよい。たとえば、ビーズまたはカプセルを、酸素化かつ滅菌された培地のフローによって栄養を与えられる培養槽のように見える装置に入れる。
【００２０】
発明の詳細な説明
第一の実施態様によれば、本発明は、内部捕食寄生生物向けの宿主としての重合体またはヒドロゲルのビーズもしくはカプセルの使用に関するものである。
【００２１】
本明細書にある用語「重合体」または「ヒドロゲル」は、互換性があり、ヒドロゲルは、水性溶媒中で調製されるゲルであるが、一方、重合体は、より小さい単位または単量体から一般的に構成される巨大分子である点において製造方法に関係するにすぎない。好ましいのはバイオパリマ−ビーズまたはカプセルである。
【００２２】
用語「内部捕食寄生生物」は、その幼虫の発生を他の昆虫の体内で、結果的にそれを殺して完了し、成虫としては自由生活する昆虫、特にスズメバチ類に関する。
【００２３】
さらなる実施態様によれば、本発明は、内部捕食寄生生物のin vitro飼養のための重合体ビーズまたはカプセルの使用であって、該ビーズまたはカプセルを産卵のために用いる使用に関する。
【００２４】
用語「産卵」は、たとえば昆虫によって、産卵管を用いて卵を産み付けることに関する。用語「産卵管」は、それによって卵を産み付ける、腹部末端の一器官または一揃いの器官に関する。本発明によれば、内部捕食寄生生物は、重合体ビーズまたはカプセルに１個もしくは数個の卵を産み付ける。
【００２５】
用語「カプセル」は、成分の組合せから構成される中空のビーズであって、該カプセルの製造の際に、増粘剤、好ましくはデキストランまたはλ−カラゲナンが塩溶液に加えられていることを特徴とするビーズに関する。
【００２６】
この重合体ビーズまたはカプセルは、アルギナート、カラゲナンまたはキトサンで構成してよい。これらのバイオポリマーは、完全に生物分解可能であり、環境に安全な、天然の無害な製品であることからも選ばれる。
【００２７】
該成分の一つで構成されたか、または該成分の二つ以上の混合物で構成された、重合体ビーズまたはカプセルのいくつかの例は、実施例のセクションに記載される。
【００２８】
従来の技術では、この重合体ビーズまたはカプセルを製造するのにいくつかの方法が記載されている。しかし、本発明では、捕食寄生昆虫を飼養する方法に特に適した重合体ビーズまたはカプセルの製造法を記載する。ビーズまたはカプセルの製造は、文献［Wrong & Somesh, 1995; Velings, 1997; Somesh et al., 1988］に記載されたプロトコルからの変更である。バイオポリマーカプセルの製造に用いられる基本プロトコルは、Someshらに記載されている。
【００２９】
しかし、これらの条件を用いて製造したカプセルは、必ずしも産み付けを招くとは限らず、カプセルの形状も、非常に可変的であった。たとえば、カプセルを、産卵を可能にするために用いたとき、その肉厚は、好ましくは５〜１００μmの範囲である。これが、カプセル製造のための文献のプロトコルを、本発明の実施態様における使用に適するバイオポリマーを製造するよう変えなければならなかった一つの理由である。
【００３０】
もう一つの実施態様によれば、本発明は、内部捕食寄生生物をin vitroで飼養するための親水性および多孔性のバイオポリマーカプセルを製造する方法であって、
−約０．７５〜１％（w/v）のキトサンを含有する重合体溶液を撹拌する工程と、
−１．５〜３．５％（w/v）のトリポリリン酸五ナトリウム、および１０〜４０％、好ましくは１０〜３０％、１５〜２５％、最も好ましくは約２０％のデキストランを含有するイオン性溶液を針を通じて押し出し、それによって、重合体溶液中に落下する小滴を生成し、好ましくはイオン性溶液を７ml／分（または約１０滴／分）の速度で送達する工程と、
−最大５分後か、またはこれに代えて、１０〜１００μmの壁厚を有するカプセルを得るのに要する時間の後、重合体溶液からカプセルを取り出す工程と、
−カプセルを３０分未満、たとえば２５、２０、１５、１０または５分間、たとえば最大１５分間、トリポリリン酸五ナトリウム中で処理する工程と
を含む方法にも関するものである。
【００３１】
好ましくは、これらの方法に用いられる針の直径は、０．３５〜０．５５mm、より好ましくは、針の直径は、０．４５mmである。
【００３２】
カプセルの製造に関しては、変更は、キトサンの濃度、イオン性溶液の濃度、および必要とされる特徴および特性をビーズに与えるのに必要な、キトサン溶液中の滞留持続時間に関係する。
【００３３】
キトサン（重合体）溶液中の持続時間は、ビーズまたはカプセルの必要とされる大きさの形成、正しい球形、およびビーズまたはカプセル形成の充分な反復性を確保するために必要とされる。キトサンカプセルのためには、ビーズを重合体溶液中に保つ時間は、カプセルの肉厚も決定する。カプセルの壁があまりにも厚い（１００μm超）ならば、内部捕食寄生生物は、その産卵管の大きさは約１００μmであるから、それを貫通して卵を産み付けることができない。カプセルの壁が充分に厚くないならば、カプセルは、操作の間に崩壊することになる。好ましくは、大きさは、５ないし１０〜１００μmでなければならず、最も好ましくは、壁は、２０〜４０μm、１０〜５０μm、１０〜６０μm、１０〜８０μm、もしくは３０〜７０、または壁厚は、２５または３５μmである。
【００３４】
ポリリン酸陰イオンの濃度は、重合体（キトサン）鎖間の相互作用の数（およびその強さ）、したがって肉厚を決定することになる。肉厚は、光学顕微鏡または電子顕微鏡を用いて測定してよい。光学顕微鏡は、カメラを通じてコンピュータへと記録され、それが、真の厚さを、用いられた倍率の関数として算出する。当業者に周知であるその他の手法、たとえばＮＭＲ分光測定法も、肉厚を測定するのに用いることができる。
【００３５】
さらに、熟成時間（ビーズまたはカプセルをトリポリリン酸五ナトリウムで処理する時間）があまりにも長い（たとえば３０分またはそれ以上）ならば、カプセルの壁にいくつかの層が観察されて、肉厚は、カプセル部位の全体について均一でなくなる。
【００３６】
さらに、溶液（たとえば、カプセルを製造するためにイオン溶液を滴下する重合体溶液、またはビーズを製造する場合に、重合体溶液を滴下するトリポリリン酸五ナトリウム溶液）の撹拌は、カプセルの均一な形状を確保するのに必要とされる。
【００３７】
最適化された、キトサンの％（好ましくは１〜０．５％、より好ましくは０．７５％）、トリポリリン酸五ナトリウムの％（好ましくは１．５〜３．５％、より好ましくは２．５または３％）、および最適化されたpH（重合体溶液の必須pHは、５．５未満、好ましくは３．５未満、イオン溶液のpHは、６〜９、好ましくは７または８であってよい）は、産卵管の導入を可能にするのに充分な球形および弾力性を有する、安定的なカプセルを得るのに必要とされる。カプセルがあまりにも耐性に富むならば、捕食寄生生物は、卵を内部に産み付けることができない。これらの条件は、適正な多孔性、およびカプセル内部の栄養素の拡散を許すのにさらに充分なそれでもある。
【００３８】
カプセルには、黄色の色素を加えるが、それは、ルテインのようなStabiloboss（登録商標）その他の黄色有機色素であってよい。好ましくは、ビーズまたはカプセルは、低濃度、たとえば１〜１０％、好ましくは４または５％の該色素を加えることによる拡散によって着色する。黄色色素の誘引性増大の例は、表１に示されている。その限りで、本発明は、本明細書に記載された方法のいずれかによって得られるバイオポリマービーズまたはカプセルにも関するものであり、この方法は、内部捕食寄生生物を飼養する用途に必須の特性を有するビーズまたはカプセルを与える。
【００３９】
その限りで、本発明は、本明細書に記載された方法のいずれかによって得られる重合体ビーズまたはカプセルにも関するものであり、その理由は、これらのビーズまたはカプセルが、ここに、それらを本発明の使用に適するようにさせる、必要とされる特徴を有するからである。
【００４０】
さらに、これらの方法のいずれかによって製造された重合体ビーズまたはカプセルは、幼虫を、卵から発生したときに飼養することができる、栄養液を充填することができる。
【００４１】
したがって、本発明は、より詳しくは、重合体、好ましくはバイオポリマーで構成された、より好ましくはアルギナート、カラゲナン、キトサンまたはその混合物から製造された外壁を含む重合体のビーズまたはカプセルに関するものである。該外壁は、一つまたはそれ以上の層からなってよい。このビーズまたはカプセルの外壁は、内部捕食寄生生物がその産卵管を進入させるのを可能にするのに充分ではあるが過大ではない、厚さがなければならない。さらに、このビーズまたはカプセルは、親水性であり、および栄養液の拡散による進入を可能にする多孔性を保有する必要がある。
【００４２】
本明細書に記載された使用に適することになる、重合体ビーズまたはカプセルのもう一つの特徴は、ビーズまたはカプセルの直径である。好ましくは、ビーズまたはカプセルの直径は、その宿主とほぼ同じ大きさを有する。好ましくは、このビーズまたはカプセルの直径は、１〜５mm、より好ましくは１．５〜３mmの範囲である。
【００４３】
ビーズの大きさは、製造の方法によって影響される。針の直径が、溶液中に落下する液滴の大きさを決定し、こうしてカプセルまたはビーズの大きさを決定する。この大きさは、産卵の前または産卵中の内部捕食寄生生物によるビーズまたはカプセルの操作（触覚の接触、ビーズまたはカプセル上の歩行、産卵管の挿入）を可能にする、最適値を得るよう選ぶ。球状のカプセルまたはビーズ、ならびに製造されるカプセルまたはビーズ間の大きさおよび直径の均一な分布を得るには、水平な位置（図１を参照）が必要である。
【００４４】
さらに、落下速度は、最初の一滴が液面（重合体またはイオン溶液）に触れる瞬間と、最後の一滴が液体との接触に至る瞬間との間の持続時間を減らすよう、できるだけ高速でなければならない。これは、溶液中の滞留時間の非常に重要な差を回避するために重要である。しかし、落下速度は、液滴に代えて連続流を得るのを回避するのに早過ぎてはいけない。
【００４５】
液滴の粘度は、落下の際、および液滴が溶液に進入する瞬間に球状の形態を保存するよう、充分に高くなければならない。粘度が過小ならば、液滴は、液面で破壊され、溶液中で扁平化または解離する。粘度が過大ならば、液体は、装置の管および針の中を困難を伴って移動する。粘度は、デキストラン濃度（分子量ＭＷ）によって決定される。したがって、粘度は、用いるデキストラン濃度を決定する。
【００４６】
好ましくは、ビーズまたはカプセルの内部には、空腔が存在して、好ましくは１匹の内部捕食寄生生物が卵を産み付けることができる。卵または幼虫が、これらのビーズの内部に、たとえば微量注入によって、産み付けられ得ることも明瞭であるはずである。
【００４７】
好ましくは、該内腔は、卵の孵化および幼虫の発生を可能にする栄養液で満たす。該重合体ビーズまたはカプセルは、酸素および炭素性気体の通過を可能にするが、ウシ血清アルブミン（６９，０００ダルトン）を包含する広範囲の分子のそれも、その親水性である性質、および重合によって構成される多孔性基質のために可能にすることから、内部捕食寄生生物向け宿主として用いるのに極めて適している。内部捕食寄生生物の幼虫が、その発生の際に栄養素を消費するにつれて、ビーズまたはカプセルは、流動システムおよび培養槽様の装置を用いて、栄養液に浸漬し、恒常的に酸素化および滅菌してよい。そうして、栄養素および酸素は、ビーズまたはカプセルの壁を通じて拡散して、ビーズまたはカプセル内の該幼虫の任意の操作、もしくは当初の栄養液の除去もしくは交換もなしに、幼虫に栄養を与え得る。
【００４８】
このカプセルまたはビーズを製造するときは、栄養培地を内部に導入するためのいくつかの可能性がある。第一の選択肢は、栄養液の調製後にビーズまたはカプセルを浸漬し、栄養素を拡散によって進入させることである。第二の選択肢は、たとえばカプセルの製造の際に、栄養液をデキストランおよびトリポリリン酸塩（イオン溶液）と混合することである。そうして、この液体の一滴をキトサン溶液に落下させて、それが、液滴の表面で重合して、カプセルを形成する。トリポリリン酸塩は、重合を触発し、デキストランは、溶液を濃化するのに用いられる。この条件では、溶液は、重合の際にカプセルの内部に捕捉される。実施例のセクションには、そのようなカプセル封入手順が記載されている。
【００４９】
好適な栄養液は、ショ糖、トレハロース、アミノ酸、ビタミン、無機塩類およびステロールを、規定された条件で含有する。存在しなければならない必須化合物は、トレハロース（濃度は、１０mg以上〜１g／１００mlの範囲）、コレステロール（１０mg以上〜１００mg／１００mlの範囲）その他のステロール、ＦＢＳ（ウシ胎児血清、１〜２０体積％）、ビタミンＣおよびコリンである。無機塩類は、Ｎａ2ＨＰＯ4、ＭｇＳＯ4およびＣａＣｌ2である。培地のpHは、６〜７．５の範囲でよい。たとえばアフィジウス・ローパロシフィ（Aphidius rhopalosiphi）の幼虫を飼養するための、そのような栄養素液の一例は、表４に記載されている。
【００５０】
産卵を増進するために、ビーズまたはカプセルを、上クチクラの宿主抽出物（たとえばスクアレンまたはヘキサドデカン酸オクタデシルその他のアルカン、アルケン、エステルおよびアルデヒド化合物、表６にいくつかの例を示す）、β−ファルネセンのような宿主フェロモンおよび／または植物抽出物で被覆してよい。トレハロースは、産卵を高めるために、ビーズまたはカプセルの内部に（１０mg以上〜１g／１００mlの範囲の濃度で）存在しなければならない。その上、カプセルまたはビーズを、好ましくは黄色着色剤としてのStabiloマーカー（登録商標）を用いて、黄色に着色する。これらの着色ビーズまたはカプセルは、内部捕食寄生生物にとってさらに刺激的であり、好ましくは、その正常な宿主に対して、内部捕食寄生生物のアフィジウス・ローパロシフィが攻撃するのである（図２を参照。（黄色の）ビーズが真のアリマキであるシトビオン・アヴェナエに好ましいことを理解することができる）。
【００５１】
本発明では、記載され、変更された方法によって製造されたバイオポリマーカプセルまたはビーズと黄色の色彩との組合せが、卵が真に産み付けられることを意味しない単なる産卵攻撃ではなく、卵の産み付けを含む真の産卵応答を誘発することを立証する。実際、内部捕食寄生生物は、彼らが宿主を探り、評価してから卵を産み付けることができるようにその産卵管に神経性の感覚子を保有している。
【００５２】
したがって、本発明は、内部捕食寄生生物のための宿主としての、上記のとおりの重合体ビーズまたはカプセルの使用に関するものである。関連する実施態様では、本発明は、内部捕食寄生生物のin vitro飼養のための、該重合体またはヒドロゲルビーズの使用に関するものである。
【００５３】
さらに一つの実施態様では、本発明は、内部捕食寄生生物の連続的または段階的なin vitro飼養のための、重合体ビーズまたはカプセルの使用に関するものである。
【００５４】
より具体的な実施態様によれば、本発明は、該バイオポリマーカプセルまたはビーズが、内部捕食寄生生物の、その卵から成虫羽化までの産卵および連続飼養に用いられる、その使用に関するものである。
【００５５】
本明細書に用いられる表現「連続飼養」または「連続in vitro飼養」は、卵期から埋伏マミー（embedded mummy）または成虫羽化の段階までの内部捕食寄生生物の、外部からの任意の操作もない発生に関与する、一連の発生上の段階を特色とする。これは、これらの段階がビーズまたはカプセルそれ自体内で、ビーズまたはカプセルの任意の手動の取扱いまたは操作もなしに進行し、本発明のビーズまたはカプセルの使用によって可能となる。場合により、やはり本発明の一部である一つの外部操作、すなわち埋伏マミーのその後の用途に向けての低温度および多湿度での貯蔵が実施される。
【００５６】
本明細書に用いられる表現「段階的な飼養」は、不連続的な仕方で内部捕食寄生生物を飼養する方法で、基本的には、連続的な仕方の同じ方法に従うが、しかし発生の任意の時期（段階）での内部捕食寄生生物を捕集し、およびそれらを一定期間休止期に保ってから、その後のより進んだ段階にそれらを再進入させるという可能性も残した、内部捕食寄生生物を飼養する方法に関連する。このビーズまたはカプセルは、ほぼ透明であることから、ビーズ内の内部捕食寄生生物がどの発生段階にあるのかは、容易に追跡することができる。
【００５７】
内部捕食寄生生物の発生における、内部捕食寄生生物の発生を休止させることができるその他の瞬間または段階は、たとえば、幼虫期１、すなわち卵の孵化直後の、産卵後４〜５日である。この段階、すなわち幼虫期１では、発生は、５℃の栄養液にそれらを入れることによって数日（２〜５日）間中断することができる。
【００５８】
埋伏マミー
関連するさらにもう一つの実施態様によれば、本発明は、産卵のための、好ましくは膜翅類型の内部捕食寄生生物または昆虫の産卵のための、該ビーズの使用に関するものである。
【００５９】
好適実施態様によれば、本発明は、親水性および多孔性である、たとえばアルギナート、カラゲナンもしくはキトサンまたはその混合物で少なくとも部分的に構成される、バイオポリマービーズまたはカプセルの、内部捕食寄生生物向け宿主としての使用に特に関するものである。
【００６０】
より具体的な実施態様によれば、本発明は、β−Ｄ−マンヌロン酸とα−Ｌ−グルクロン酸との二価陽イオン、たとえばＣａ++によって架橋結合された共重合体である、アルギナートで基本的に構成されたバイオポリマービーズの使用に関するものである。
【００６１】
本明細書に用いられる用語「少なくとも部分的に」は、約１０〜ほぼ１００％、たとえば２０、３０、４０、５０、６０、７０、８０、９０、９５または９９％を意味する。
【００６２】
本明細書に用いられる用語「基本的に」は、その組成の約８０〜１００％がアルギナートであることを意味する。
【００６３】
好適実施態様によれば、本発明は、真菌、甲殻類、昆虫その他の節足動物の多数の種に見出されるキチン（ポリ−β−（１−４）−２−アミノ−２−デオキシ−Ｄ−グルコピラノース）の誘導体である、キトサンで基本的に構成された重合体ビーズまたはカプセルの、内部捕食寄生生物向け宿主としての使用に関するものである。キトサンは、昆虫クチクラの主要な成分であるため、産卵の際に内部捕食寄生生物によって特に充分に認識され、その発生に充分に適している。重合体基質の多孔性の性質も、昆虫が、産卵前の触角によって培地の内部組成を知覚するのを可能にする。
【００６４】
本発明のビーズまたはカプセルは、内部捕食寄生生物、好ましくは昆虫の目（もく）（ハチ目）に属する膜翅類型内部捕食寄生生物をin vitroで飼養するための、宿主として用いることができる。
【００６５】
上記のとおりの人工宿主を用いて飼養しようとする、本発明で構想される好適な内部捕食寄生生物は、表５に提示されたアリマキの内部捕食寄生生物のリストから選ばれる。
【００６６】
それでも、本発明が、アリマキの内部捕食寄生生物に限定されずに、他の内部捕食寄生生物に用いることもできることは、明瞭でなければならない。
【００６７】
本発明者らによって、追加的刺激は、内部捕食寄生生物による産卵の成功を増強できることが示されている。
【００６８】
したがって、本発明は、さらに、産卵について本明細書に記載されたとおりか、またはそれに開示された方法のいずれかによって得られる、重合体ビーズまたはカプセルの使用を含む、内部捕食寄生生物をin vitroで飼養する方法であって、該内部捕食寄生生物を、コムギおよび／またはその天然の宿主を含む環境に置く方法に関するものである。さらに一つの代替策によれば、内部捕食寄生生物を、コムギもしくは植物の部分、または植物の臭気および／もしくはその天然の宿主、もしくはこれらの天然の宿主の臭気を含む環境に置く。
【００６９】
好ましくは、たとえば、膜翅類型の内部捕食寄生生物を、重合体ビーズまたはカプセルを用いたときに飼養しようとするときは、該内部捕食寄生生物を、コムギおよび穀類アリマキを含む環境に置く。さらに一つの代替策によれば、内部捕食寄生生物を、コムギおよび穀類アリマキ、または穀類アリマキの臭気を含む環境に置く。
【００７０】
しかし、ビーズまたはカプセルそれ自体は、産卵に必要な手触り、臭気、色彩その他の特徴または特性を模倣してよい。実施例に例示されるとおり、ビーズまたはカプセルの色彩は、産卵に対して肯定的な影響を有している。そのため、好適実施態様によれば、内部捕食寄生生物を飼養するための宿主としての使用向けの重合体ビーズまたはカプセルは、黄色であり、好ましくはStabiloboss（登録商標）で黄色に着色する。
【００７１】
もう一つの実施態様によれば、本発明は、該ビーズまたはカプセルを、宿主の上クチクラ抽出物および／または植物抽出物で被覆する、該重合体ビーズまたはカプセルの使用にも関するものである。
【００７２】
本発明は、さらに、該内部捕食寄生生物が、表５に列挙されたとおりの膜翅類型の内部捕食寄生生物の群から選ばれる、上記のとおりの使用のいずれかに関するものである。
【００７３】
本発明は、さらに、内部捕食寄生生物をin vitroで飼養（たとえば連続的に）する方法であって、
−栄養液を含有する該ビーズまたはカプセルを、本明細書に記載されたとおりのバイオポリマービーズまたはカプセルを用いる工程と、
−内部捕食寄生生物の発生の際に、該ビーズまたはカプセルを酸素化および滅菌された栄養液に入れる工程と
を含む方法に関するものである。
【００７４】
上記の方法を用いて、内部捕食寄生生物は、発生の望みの段階まで連続的に飼養してよい。
【００７５】
したがって、本発明は、内部捕食寄生生物を埋伏マミーの段階までin vitroで飼養するための方法であって、内部捕食寄生生物が埋伏マミーであるときにビーズまたはカプセルを捕集する工程を含む方法に関するものである。
【００７６】
本発明は、上記の方法によって得られる内部捕食寄生生物の埋伏マミーを含む、バイオポリマービーズまたはカプセルにも関するものである。
【００７７】
その生存および商業的流通を可能にするには、これらのマミーを溶液中に貯蔵することが重要である。栄養液は、流通にのみ必要とされるにすぎないならば、捕食寄生生物は、変態の際に栄養素を必要としないことから、あるいは、しかしおそらくは高価であろう。水のみでは、浸透圧のために充分ではなく、捕食寄生生物のマミーは、高張であり、そのため、水がビーズおよびマミーに進入し、その内圧を高めることによって内部捕食寄生生物の細胞に損傷を触発することになる。したがって、より好都合な仕方は、等張塩類溶液（たとえば６〜７．５の範囲のpHで緩衝させた０．００７％ＮａＣｌ）、またはマミーに対して同じ効果を有し、生組織を保存するのに用いることができる、その他の任意の溶液も用いることである。そのため、最終製品は、等張塩類溶液中の埋伏マミーであってよい。農家は、単に溶液を微粉化する（たとえば分散または吹付けする）ことを必要とするにすぎない。
【００７８】
非常に大量の捕食寄生生物を田畑、たとえば数ヘクタールのコムギ畑に、これらの捕食寄生生物が均等に分布するように放出することは、非常に困難な仕事である。本発明は、農家または農家が使用する機械の必要性に従って希釈し得る、保存液中に埋伏マミーを含む、濃縮された量のビーズまたはカプセルを提供する。こうして、本発明は、あらゆる農家または植物生産家（園芸家、庭師等々）がその農場または企業において有する古典的なシステム（粉砕機、拡散器）を用いて、埋伏マミーを殺虫剤のように単に吹き付ける（微粉化する）ことを可能にするにすぎない。溶液中に存在するカプセルまたはビーズは、田畑の植物に均等に分散され、単に屋外空気が水で飽和されていないにすぎないために、乾燥することになる。バイオポリマーは、乾燥したとき、粘着性になり、たとえ風または降雨があったとしても、捕食寄生生物の羽化まで植物上に残留することになる。これらの条件下では、植物上で、捕食寄生生物の羽化前の生存は、単に土壌上にあるよりさらに良好になると思われる。
【００７９】
本明細書に用いられる用語「微粉化」は、ビーズまたはカプセルを含有する溶液を吹き付けて、田畑におけるその殺虫剤のような分散を可能にすることを意味する。微粉化または塗布の気圧装置系を用いて、マミーを含有するビーズまたはカプセルの散布を推進してもよい。
【００８０】
本発明は、内部捕食寄生生物を成虫羽化の段階までin vitroで飼養するための飼養方法であって、ビーズまたはカプセルから羽化したときに、内部捕食寄生生物を捕集する工程を含む方法にも関するものである。
【００８１】
本発明は、本明細書に記載された方法によって得られる（たとえば飼養される）内部捕食寄生生物にも関するものである。
【００８２】
本発明は、さらに、有害生物防除の際に大量放出するための、本発明の方法のいずれによっても得られるか、または得ることができるバイオポリマービーズまたはカプセルもしくは内部捕食寄生生物の使用にも関するものである。
【００８３】
もう一つの実施態様によれば、本発明は、大量の内部捕食寄生生物を量産する方法であって、本明細書に記載されたの方法によって得られるバイオポリマービーズまたはカプセルを、該ビーズまたはカプセルを適切な溶液に入れ、および／または粉砕機を用いて粉砕することによって微粉化する工程を含む方法に関するものである。
【００８４】
さらに、本発明は、内部捕食寄生生物を飼養するシステムであって、
−本明細書の任意の方法によって得られる、上記に定義された少なくとも一種類のビーズまたはカプセルの使用と、
−少なくとも一種類の内部捕食寄生生物と、
−該ビーズまたはカプセル上の該内部捕食寄生生物の産卵に適した環境と
を含むシステムを提供する。
【００８５】
該システムは、下記のうち少なくとも一つを含む：
−該ビーズまたはカプセルを被覆して、該ビーズまたはカプセル内の該内部捕食寄生生物の産卵を強化するための、宿主の上クチクラ抽出物もしくはフェロモンおよび／または植物抽出物の使用、
−ビーズまたはカプセルに対して内部捕食寄生生物の誘引を改良するための、宿主または植物の臭気の使用、
−ビーズまたはカプセルの内部に導入される栄養液、
−産卵後に該ビーズまたはカプセルを浸漬する栄養液（好ましくはビーズまたはカプセルの内部および外部の栄養液は、同じである）、
−内部捕食寄生生物の発生の際にビーズまたはカプセルに加える、酸素化および滅菌された栄養液の連続流を許す装置、
−内部捕食寄生生物の発生の終末（蛹期）での該ビーズまたはカプセルの捕集を許す、自動化されることもあり得る装置、
−変態および成虫羽化（たとえば、幼虫期の終末、蛹期および非常に若い成虫）を可能にするための、恒温の飼養室、
−生産の必要性の関数としての、埋伏マミー（たとえば蛹期の開始）の貯蔵を可能にする、７０〜１００％の範囲の湿度を有する低温室（−５℃〜＋５℃の範囲の温度）。
【００８６】
用語「埋伏マミー」は、ビーズまたはカプセルの内部に付着した内部捕食寄生生物の蛹期（変態が生じる最後の発生段階）に関連し、該ビーズまたはカプセルの中で、それは繭を紡いでから、成虫の羽化が生じる。蛹期は、蛹化の直前に、幼虫第３期の内部捕食寄生生物が消化管の内容、すなわち蛹便と呼ばれるものを排出するため、単なる一瞥によって肉眼で認めるのが非常に容易である。蛹便は、小さく暗い斑点を形成するため、認めるのが非常に容易である。カプセルまたはビーズはほとんど透明であるから、暗い斑点は、生産の際の単なる素早い確認によって、特定するのが容易である。たとえば、ほとんどのビーズまたはカプセルが第３期の幼虫の存在が確認されたとき、このビーズを、栄養液から手動か、または自動的に、たとえば、ビーズまたはカプセルおよび栄養液を含む容器を空にするとの指示を装置に与えること（たとえば、つまみを回すことか、またはコンピュータによる指示）によって捕集してよく、ビーズまたはカプセルを、たとえば濾過し、発生の次の段階が進行できる、次の区画または容器に移転もしくは輸送する。
【００８７】
飼養室は、その発生の終末にある幼虫第３期を含むカプセルまたはビーズを受容して、変態を可能にすることになる。実際は、変態のためのその時点で、完全に発生した第３期幼虫は、それ以上摂食せず、そのため、栄養液に浸漬されることを必要としない。変態は、その脂肪およびグリコーゲンの蓄えを用いてなされる。捕食寄生生物の発生のこの段階に、万一ビーズまたはカプセルが栄養液中に残留するならば、成虫は、カプセルを離脱することができず、溶液中で自ら溺死することになる。この点に関し、この工程は、連続飼養法に関与している。
【００８８】
低温室は、カプセルまたはビーズを正しい温度で貯蔵するのに用いられる。本発明者らの実験は、埋伏マミーを、高湿度下（たとえば７０〜１００％）、好ましくは中間の湿度下（８０〜９７％）、約３℃で少なくとも３〜５週間休止期として、おそらくはより長く数ヶ月間（１〜６ヶ月）休眠期として、貯蔵することができることを示した。低温貯蔵では視認できなくなるが、発生のために常温（たとえば２０℃）に戻されたときに、マミーに発生する、真菌の成長を予防するため、飽和空気を回避する可能性もある。
【００８９】
用語「休止」は、正常な気候条件からの突然の、予期されない、非周期的で通常は短い逸脱に対する、個々の昆虫の応答に関連する。本明細書に用いられる「休止」は、低い温度、すなわち昆虫の発生閾値を下回る、現在は約６℃であるが、用いる捕食寄生生物に依存し得る温度によって誘導することができる、代謝上の休止に関連する。上記の場合、温度が、たとえば６℃を越えて上昇するならば直ちに、発生は進行する。
【００９０】
用語「休眠」は、形態形成の低下、環境の両極端に対する耐性の増大、および行動性の変化または低下を伴う、ホルモンが介在する低い代謝活性の状態に関連する。休眠は、不利な条件（たとえば冬季）に先行する環境的な合図（現時点では秋季のような日中の持続時間の短縮）に応答する、発生の遺伝的に決定された段階（たとえば蛹期）に生じる。本明細書に用いられる「休眠」は、秋季の気候条件を模倣する短い日照持続時間によって誘導することができる、代謝上の休止に関連する。この段階では、内部捕食寄生生物は、低温度で３〜６ヶ月間生存する。
【００９１】
このように、本発明のシステムは、いくつかの選択肢、たとえば、（１）内部捕食寄生生物がマミーから羽化するまで飼養室のみ（たとえば内部捕食寄生生物の捕集）、または（２）内部捕食寄生生物が埋伏マミーになるまで飼養室、次いで低温室に移転して貯蔵（たとえば埋伏マミーを有するビーズの捕集）の可能性を与える。その他の選択肢は、その必要性があるときは常に、内部捕食寄生生物のその他の任意の発生段階での捕集の余地を与える。
【００９２】
このように、本システムは、捕食寄生生物または益虫を大規模に生産する手段を提供する。生産または貯蔵の直後の、該生産された内部捕食寄生生物またはその埋伏マミーは、害虫の生物学的防除の枠組みの中での大量放出に用い得る。これらの放出は、手動によってか、または任意の種類の分散装置によっても、実施してよい。埋伏マミーは、生理学的塩類溶液（６〜７．５の範囲のpHで緩衝させたＮａＣｌ、０．０７％）のような、適切な溶液に入れ、古典的な粉砕機を用いて微粉化し得る。ビーズまたはカプセルを構成する該バイオポリマーは、乾燥したときは、粘着性になるため、埋伏マミーは、良好な条件で植物に粘着して、成虫へと羽化することになる。微粉化または塗布の気圧装置系を用いて、マミーを含有するビーズまたはカプセルを推進してもよい。両装置系とも、必要とされる場合に、内部捕食寄生生物の均一な分散を可能にすると思われる。それらは、該ビーズまたはカプセルを含む拡散器システムのような、徐放システムの使用の可能性を排除しない。
【００９３】
本明細書に用いられる用語「拡散器」は、単位時間あたり一定量の捕食寄生生物を徐々に放出することが可能な装置に関連する。それは、捕食寄生生物または埋伏マミーが、成虫向けの多少の飼料とともに貯蔵され、成虫が、羽化後に内部で出会い、交尾することもあり得る、箱である可能性がある。それは、田畑、果樹園または温室に置かれて、成虫の羽化およびその放出を可能にする、その他任意の種類の装置であることもできると思われる。それは、吹付け装置または任意の種類の分散装置の代替策である。
【００９４】
この面での用語「環境」は、物理的実体ばかりでなく、産卵のための人工宿主として役立つビーズまたはカプセルへの、内部捕食寄生生物の産卵が可能となると思われる、生理学的または環境的条件にも関連付けることができる。物理的実体は、たとえば、ビーズまたはカプセルおよび内部捕食寄生生物を多少とも密接にまとめて含む、ケージ、容器、温室であることができると思われる。生理学的または環境的条件は、たとえば、産卵、ならびに卵および幼虫の最適の生存および飼養のための最適な条件を確立するための、適切な気候、もしくは温度、光、湿度等々に関する気候調節か、コムギもしくは穀類アリマキ、または臭気を与えるその他の構成要素の存在のようなその他の条件か、あるいは産卵のための内部捕食寄生生物の自然環境を模倣する、その他任意の条件も含む可能性がある。
【００９５】
もう一つの好適実施態様によれば、該システムは、表５に提示されたアリマキの内部捕食寄生生物のリストから選ばれる、１種類ないし数種類の内部捕食寄生生物を含む。
【００９６】
本明細書に用いられる表現「少なくとも一つ」は、数に関しての少なくとも一つ、たとえば「少なくとも一つの生物または昆虫」を含む。これに代えて、表現「少なくとも１種類」は、たとえば、１種類より多くの益虫または内部捕食寄生生物を、同時に飼養しなければならず、それぞれの種について、１種類またはそれ以上の生物もしくは昆虫をこの系に含むことができるときに、「少なくとも一つの種」を意味することもできる。
【００９７】
ここで一般的に記載されている本発明は、下記の表、図面および実施例を参照することによって、より容易に理解されると思われるが、これらは、本発明の一定の側面および実施態様を例示する目的でのみ包含されるにすぎず、本発明を限定することは、意図されていない。本明細書中に言及される参考文献は、すべて、参照によって組み込まれる。
【実施例】
【００９８】
例１：バイオポリマービーズ
（ａ）説明および形成
１．アルギナートビーズ
アルギナートは、海産の褐藻類（Phaeophyceae）の主要な構造的多糖類として産する。化学的には、β−Ｄ−マンヌロン酸（Ｍ）と、そのＣ（５）エピマーであるα−Ｌ−グルクロン酸（Ｇ）とのα（１→４）−結合した、線状ブロック共重合体である。Ｍ／Ｇ比は、大きく変動し、アルギナートの特性と明確に相関する。
【００９９】
アルギン酸カルシウムビーズの形成は、下記のとおりである。７．５g/lのアルギナート（cecalgum：Ｍ／Ｇ＝１．２）を含有する溶液を、室温で、針を通じて滴下して、液滴を形成し、それが、ＣａＣｌ2の急速に撹拌した０．１M溶液に落下した。Ｃａ++陽イオンによるアルギナート分子の架橋結合のために、ビーズ（φ＝２〜３mm）がほとんど瞬間的に形成された。
【０１００】
２．キトサンビーズ
キトサン、すなわちポリ−β−（１−４）−２−アミノ−２−デオキシ−Ｄ−グルコピラノースは、キチン、すなわち非常に様々な甲殻類、昆虫類および真菌類に見出される多糖類の誘導体である。
【０１０１】
キトサンビーズの形成は、下記のとおりである。１０g/lのキトサンを、１４ml/lの酢酸溶液に溶解した。溶液を、室温で、針を通じて滴下して、液滴を形成し、それが、急速に撹拌したトリポリリン酸五ナトリウム（pH８．６）に落下した。液滴は、キトサン＝ポリホスホナートビーズ（φ＝２〜３mm）を瞬時に形成した。ビーズを、酢酸越しに洗浄し、トリポリリン酸五ナトリウムに入れた。３０分後、ビーズを取り出し、脱塩水で洗浄した。
【０１０２】
（ｂ）内部捕食寄生生物による受容
内部捕食寄生生物が触角および付節内の受容器を通じて知覚する、化学的な合図は、疑いもなく、宿主の受容に非常に重要である。宿主の大きさ、形状、色彩および表面の手触りも、非常に重要である。この段階に受容されるならば、それらは、その産卵管で宿主を探ろうとする。それでも、捕食寄生生物は、その産卵管を宿主に挿入するが、卵を産み付けるのを続けないことが多い。産卵管は、通常、感覚子内に被覆され、昆虫は、産卵に不適切であると知覚した後は、宿主を拒絶するように思われる。捕食寄生生物は、化学的な合図を用いて、宿主の適切さを査定し得る。そのため、本発明者らは、内部捕食寄生生物のアフィジウス・ローパロシフィについて、宿主としての重合体ビーズを試験した。本発明者らは、捕食寄生生物の行動に対する色彩（表１）、重合体の種類、アルギナートおよびキトサン（表２）、ならびに環境（表３）、カプセル内部のトレハロース（表７）、および植物または宿主の抽出物（表６）の影響を決定した。
【０１０３】
１．産卵行動に対する色彩の効果
本発明者らの結果は、捕食寄生生物の応答、攻撃および受容が、着色されていないビーズに対してよりも、黄色に着色されたビーズに対しての方が優れていることを示した。さらに、本発明者らは、、Stabiloboss（登録商標）（製品番号０７０／２４、ドイツ国）で着色されたビーズは、Ｅ１０２（VahineＢＰ１７、84170 Monteux、フランス国）で着色されたビーズに比して捕食寄生生物の攻撃および受容を生じることが多いことを観察した。結果的に、Stabilo（登録商標）マーカーで黄色に着色したアルギナートビーズは、ヒドロゲルビーズの好適な例となった。
【０１０４】
２．産卵行動に対するバイオポリマー（アルギナートまたはキトサン）の効果
本発明者らの結果は、捕食寄生生物の応答、攻撃および受容が、キトサンビーズよりアルギナートビーズの方が優れていることを示す。これは、おそらく、ビーズ間の色の差によって生じた。実際、アルギナートとキトサンとは、着色剤（Stabilo（登録商標））を異なって吸収する。しかし、カプセルに関しては、正反対の結果が見出された。キトサンは、アルギナートより誘引的である。
【０１０５】
３．産卵行動に対する環境の効果
内部捕食寄生生物のアフィジウス・ローパロシフィの産卵行動に対する環境の効果を決定するために。本発明者らは、Stabilo（登録商標）で着色したアルギナートビーズを、下記の異なる環境に置いた：
−単独で、
−アリマキとともに、
−コムギとともに、
−コムギ上のアリマキとともに。
【０１０６】
結果を、表３に示す。
【０１０７】
結果は、捕食寄生生物の近い環境は、その産卵行動に影響し得ることを示している。実際、ビーズをアリマキまたはコムギと並置したとき、捕食寄生生物の応答は、より頻回であった。さらに、捕食寄生生物の受容の百分率（受容／応答ｘ１００）は、参照（４％）と比較して、ビーズをアリマキと並置したときは重要であり（１９％）、ビーズをパッチ（アリマキ＋コムギ）に入れたときは、非常に重要であった（３２％）。したがって、アリマキおよびコムギが放出する臭気は、捕食寄生生物を興奮させる可能性がある。
【０１０８】
４．キトサンカプセル内部のトレハロースの存在の効果
黄色のキトサンカプセル内部の４種類の栄養液を、捕食寄生生物のアフィジウス・ローパロシフィによる産卵行動、および該カプセル内部に産み付けられた卵の数について比較した：
・捕食寄生生物向けの基本栄養液、
・アリマキ摩砕溶液
・拡散によってカプセルに導入された０．６％トレハロース溶液、
・カプセル形成工程の間にデキストランとともにイオン溶液に取り込まれたトレハロース溶液。
【０１０９】
攻撃されたカプセルの総数、卵を有するカプセルの総数はもとより、カプセル内に捕集された卵の総数、およびこれらの二つの値間の比も、デキストランとともに取り込まれたトレハロースの場合の方が常に高く、拡散によって取り込まれたトレハロースでは２番目にそうであるように見えた（表７）。したがって、トレハロースを含有する黄色のキトサンカプセルは、内部捕食寄生生物の産卵に充分に適する。卵は、この種の実験では、反復して見出された。
【０１１０】
５．産卵行動に対する宿主抽出物の存在の効果（表７を参照）
内部捕食寄生生物に対するアリマキの上クチクラ化合物の誘引性を決定するために、上クチクラ化合物を、アリマキの脱皮殻からメタノールを用いて抽出した。脱皮殻は、この昆虫の脱皮後に残留するクチクラである。この表は、新鮮な脱皮殻（すべての上クチクラ化合物を含有）上のアフィジウス・ローパロシフィという捕食寄生生物の産卵行動、メタノールで洗浄した脱皮殻（Cold Meth）、および洗浄後のメタノール抽出物を再塗布した脱皮殻の間の観察の相違を示す。測定した行動は、遭遇（RENC）、触角の接触（CA）、腹部の折り畳み（FOLD）、産卵管の接触（CO）、受容（FOLD＋CO）、および産卵を伴わない腹部の折り畳み（FOLD Alone）である。新鮮な脱皮殻はもとより、再塗布した脱皮殻も、洗浄した脱皮殻より誘引性に富むように思われた。
【０１１１】
さらに、宿主に属し、ビーズまたはカプセルでの産卵の水準を高めるために、ビーズまたはカプセルを被覆するのに用い得る、上クチクラ化合物のメタノール抽出物の組成の分析を示す（表８）。スクアレンによるこの種の抽出物は、ビーズまたはカプセルにおける内部捕食寄生生物による産卵の水準を高めることが観察された。
【０１１２】
例２：バイオポリマーカプセル
内部捕食寄生生物は、しばしば、黄色に着色し、「パッチ」に入れたアルギナートビーズにその産卵管を挿入する。それでも、常に、卵を産み付け続けてしまう。したがって、ビーズは、捕食寄生生物にとって産み付けの充分な支持体ではない可能性がある。その結果、他の支持体を試験した。３種類のカプセル：キトサン＋デキストラン、キトサン／λ−カラゲナンおよびアルギナート／デキストランを、下記に試験した。
【０１１３】
（ａ）説明および形成
１．キトサン／デキストラン
キトサン／デキストランカプセルを、下記のとおり製造した。１．４体積％の酢酸を含有する水に溶解した１％のキトサンを含有する溶液を、磁気撹拌器を用いて室温で攪拌し続けた。１．５％のポリリン酸ナとおりウムおよび４０％のデキストランを含有する水性懸濁液を、針を通じて押し出して、小滴（φ＝２〜３mm）を生成した。液滴は、即座にキトサン＝ポリホスファートの膜を形成して、液滴を封じ込めた。カプセルを溶液から取り出し、１．５％とおりポリリン酸ナとおりウム（pH８．５）中で３０分間処理した。カプセルを洗浄し、脱塩水中に保存した。
【０１１４】
２．キトサン／λ−カラゲナン
キトサン／λ−カラゲナンカプセルを、下記のとおり製造した。１．４体積％の酢酸を含有する水に溶解した１％のキトサンを含有する溶液を、磁気撹拌器を用いて室温で攪拌し続けた。１．５％のポリリン酸ナとおりウムおよび１．４％のλ−カラゲナンを含有する水性懸濁液を、針を通じて押し出して、小滴（φ＝２〜３mm）を生成した。液滴は、即座にキトサン＝ポリホスファートの膜を形成して、液滴を封じ込めた。カプセルを溶液から取り出し、さらに１．５％とおりポリリン酸ナとおりウム（pH８．５）中で３０分間処理した。カプセルを取り出し、１．４％酢酸越しに洗浄した。カプセルをトリポリリン酸五ナトリウムに入れた。３０分後、カプセルを脱塩水で洗浄し、脱塩水中に保存した。
【０１１５】
３．アルギナート／デキストラン
アルギナート／デキストランカプセルを、下記のとおり製造した。０．５％のアルギン酸ナとおりウムを含有する溶液を調製し、磁気撹拌器を用いて室温で攪拌し続けた。１．３％のＣａＣｌ2および２０％のデキストランを含有する水性懸濁液を、針を通じて押し出して、小滴（φ＝２〜４mm）を生成して、これが、急速に撹拌したアルギナート溶液中に落下した。カプセルの膜が、懸濁液の周囲にほとんど瞬間的に形成されて、境界面のアルギナート分子を、Ｃａ++陽イオンによって架橋結合した。カプセルを取り出す前に、重合体溶液を、必要量のミリＱ水の添加によって５倍に希釈した。最後に、カプセルを取り出し、１．３％のＣａＣｌ2溶液に８時間入れた。
【０１１６】
（ｂ）内部捕食寄生生物による受容
実験は、捕食寄生生物が、キトサン／デキストランのカプセル内に卵を産み付けたことを示した。
【０１１７】
例３：バイオポリマーカプセルの製造法の最適化
バイオポリマービーズの形状、直径、多孔性および肉厚を最適化するために、Someshら（1988）のプロトコルを、いくつかの点で劇的に変更した。これらの変更の全体像を、表９に示す。重要な相違は、イタリック体で特筆した。
【０１１８】
【表１】
2004530436.tif 000002
【０１１９】
応答は、１５分間に観察された、３０頭の捕食寄生生物の雌の、ビーズとの会合の数として定義した。
【０１２０】
攻撃は、１５分間に観察された、３０頭の捕食寄生生物の雌の産卵管先端をビーズへと配向する、胸部下方の腹部の屈曲の数として定義した。
【０１２１】
受容は、１５分間に観察された、３０頭の捕食寄生生物の雌の産卵管との接触の数として定義した。
【０１２２】
黄色の着色剤として、Ｅ１０２（Ｈ2Ｏ：Ｅ１０２＝１：１）およびStabiloマーカー（Ｈ2Ｏ：Stabilo＝１：１）を用いた。
【０１２３】
【表２】
2004530436.tif 000003
【０１２４】
応答は、１５分間に観察された、３０頭の捕食寄生生物の雌の、ビーズとの会合の数として定義した。
【０１２５】
攻撃は、１５分間に観察された、３０頭の捕食寄生生物の雌の産卵管先端をビーズへと配向する、胸部下方の腹部の屈曲の数として定義した。
【０１２６】
受容は、１５分間に観察された、３０頭の捕食寄生生物の雌の産卵管との接触の数として定義した。
【０１２７】
【表３】
2004530436.tif 000004
【０１２８】
応答は、１５分間に観察された、３０頭の捕食寄生生物の雌の、ビーズとの会合の数として定義した。
【０１２９】
攻撃は、１５分間に観察された、３０頭の捕食寄生生物の雌の産卵管先端をビーズへと配向する、胸部下方の腹部の屈曲の数として定義した。
【０１３０】
受容は、１５分間に観察された、３０頭の捕食寄生生物の雌の産卵管との接触の数として定義した。
【０１３１】
【表４】
2004530436.tif 000005
2004530436.tif 000006
【０１３２】
【表５】
2004530436.tif 000007
2004530436.tif 000008
2004530436.tif 000009
2004530436.tif 000010
【０１３３】
【表６】
2004530436.tif 000011
【０１３４】
【表７】
2004530436.tif 000012
【０１３５】
【表８】
2004530436.tif 000013
【０１３６】
【表９】
2004530436.tif 000014
【０１３７】
【表１０】
2004530436.tif 000015
【図面の簡単な説明】
【０１３８】
【図１】バイオポリマーカプセルの製造のための実験的設計を示す図である。針の位置は、優れた結果を生じるためには水平である必要があるため、重要である。
【図２】アフィジウス・ローパロシフィAphidius rhopalosiphiの産卵行動を示す図である。キトサンカプセルが、アリマキには好適である（Ａ）。産卵後のカプセル内の卵の存在（Ｃ＆Ｄ）。
【図１】
2004530436.tif 000016
【国際公開パンフレット】
2004530436.tif 000017
2004530436.tif 000018
2004530436.tif 000019
2004530436.tif 000020
2004530436.tif 000021
2004530436.tif 000022
2004530436.tif 000023
2004530436.tif 000024
2004530436.tif 000025
2004530436.tif 000026
2004530436.tif 000027
2004530436.tif 000028
2004530436.tif 000029
2004530436.tif 000030
2004530436.tif 000031
2004530436.tif 000032
2004530436.tif 000033
2004530436.tif 000034
2004530436.tif 000035
2004530436.tif 000036
2004530436.tif 000037
2004530436.tif 000038
2004530436.tif 000039
2004530436.tif 000040
2004530436.tif 000041
2004530436.tif 000042
2004530436.tif 000043
2004530436.tif 000044
2004530436.tif 000045
2004530436.tif 000046
2004530436.tif 000047
2004530436.tif 000048
2004530436.tif 000049
2004530436.tif 000050
2004530436.tif 000051
2004530436.tif 000052
2004530436.tif 000053
2004530436.tif 000054
2004530436.tif 000055
2004530436.tif 000056
【国際公開パンフレット（コレクトバージョン）】
2004530436.tif 000057
【国際調査報告】
2004530436.tif 000058
2004530436.tif 000059
2004530436.tif 000060
2004530436.tif 000061
2004530436.tif 000062
2004530436.tif 000063